(57)【特許請求の範囲】
【請求項１】
平板状のパネルをハンガーレールに沿って移動可能に支持したパネルカーテンにおいて、
前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、
前記パネルをカーテン生地で構成し、前記蝶番の下方において、前記カーテン生地の下端部には上下方向にスリットを設けた
ことを特徴とするパネルカーテン。
【請求項２】
平板状のパネルをハンガーレールに沿って移動可能に支持したパネルカーテンにおいて、
前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、
前記ハンガーレールに前記パネルを複数枚並行して移動可能に吊下支持し、前記回動側吊下げ枠には、前記非回動側吊下げ枠及び回動側吊下げ枠を直線状とした状態で先頭パネルを引き出したとき後続のパネルを追随して引き出し可能とする係止装置を備え、
前記係止装置は、前記回動側吊下げ枠の端部に設けたカウンタと、隣接するパネルの非回動側吊下げ枠の端部に設けられて前記カウンタに係合するエンドフックとで構成し、前記カウンタは前記エンドフックが前記回動側吊下げ枠の先端側から当接したとき、該エンドフックに係合しないように上方へ回動可能とした
ことを特徴とするパネルカーテン。
【請求項３】
前記非回動側吊下げ枠を、垂直荷重を支持する第一のランナーと、前記回動側吊下げ枠回動時の水平分力に基づく前記非回動側吊下げ枠の傾きを規制する第二のランナーで前記ハンガーレールに移動可能に支持したことを特徴とする請求項１または２記載のパネルカーテン。
【請求項４】
前記蝶番には、前記回動側吊下げ枠の水平分力を支持する摺動面を備えたことを特徴とする請求項１乃至３記載のパネルカーテン。
【請求項５】
前記回動側吊下げ枠の端部には、該回動側吊下げ枠を回動操作するための棒体を吊下支持したことを特徴とする請求項１乃至４のいずれか１項に記載のパネルカーテン。
【請求項６】
前記非回動側吊下げ枠の一側面に前記パネルを吊下支持し、前記非回動側吊下げ枠の側方に前記第二のランナーのベースを延設し、前記非回動側吊下げ枠には前記ベースを支点として該非回動側吊下げ枠の傾きを補正可能とした補正部材を設けたことを特徴とする請求項３記載のパネルカーテン。
【請求項７】
前記蝶番には、前記回動側吊下げ枠の回動位置を所定角度毎に保持する係止手段を備えたことを特徴とする請求項１乃至６のいずれか１項に記載のパネルカーテン。
【請求項８】
平板状のパネルをハンガーレールに沿って移動可能に支持したパネルカーテンにおいて、
前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、
前記非回動側吊下げ枠を、垂直荷重を支持する第一のランナーと、前記回動側吊下げ枠回動時の水平分力に基づく前記非回動側吊下げ枠の傾きを規制する第二のランナーで前記ハンガーレールに移動可能に支持し、
前記非回動側吊下げ枠の両端部を一対の前記第一のランナー及び前記第二のランナーで支持し、前記第二のランナーは前記ハンガーレールの内側面に当接して水平方向に回転する一対の車輪を備え、一方の第二のランナーの車輪で前記非回動側吊下げ枠の前方向への傾きを規制し、他方の第二のランナーの車輪で前記非回動側吊下げ枠の後方向への傾きを規制することを特徴とするパネルカーテン。
【発明の詳細な説明】
【技術分野】
【０００１】
この発明は、平板状のカーテン生地あるいはパネルをハンガーレールに沿って引き出して、カーテンあるいは間仕切りとして使用するパネルカーテンに関するものである。
【背景技術】
【０００２】
平板状のカーテン生地を使用したパネルカーテンは、複数枚のカーテン生地がそれぞれ吊下枠から吊下支持され、各吊下枠がハンガーレールに沿って移動可能に支持される。そして、各カーテン生地をハンガーレールに沿って引き出すことにより、そのカーテン生地で窓外からの外光を遮り、各カーテン生地をハンガーレールの一方に移動させれば、窓面を開放可能となっている。
【０００３】
また、複数枚の平板状のパネルをハンガーレールに沿って移動可能に吊下支持した間仕切りパネルでは、各パネルをハンガーレールに沿って引き出すことにより室内空間を適宜に区画可能である。
【特許文献１】実公昭５０−２２８６号公報
【特許文献２】実公昭５３−５４４４１号公報
【特許文献３】特開平１０−２３３０号公報
【発明の開示】
【発明が解決しようとする課題】
【０００４】
上記のようなパネルカーテンでは、各カーテン生地はハンガーレールに対し回動不能に吊下支持されている。従って、各カーテン生地を引き出した状態では、縦型ブラインドのスラットの回動に相当するような採光量の調節機能は具備していない。
【０００５】
特許文献１に記載された間仕切りでは、パネルの中央部をランナーで吊下支持し、そのランナーの下方でパネルをく字状に折り曲げ可能とした構成が開示されている。しかし、このような構成をパネルカーテンに応用しようとすると、カーテン生地を回動させて折り曲げるために、ハンガーレールと窓との間に所要の空間を確保する必要がある。従って、カーテン生地を窓の近傍に吊下支持することができないという問題点がある。また、パネルの全重量を一つのランナーで支持するため、ランナーを大型化して十分な強度を確保する必要がある。
【０００６】
特許文献２に記載されたフォールディングドアでは、複数枚のパネルの中央部をランナーで吊下支持し、各パネルを蝶番で互いに回動可能とした構成が開示されている。しかし、ハンガーレールと窓との間に所要の空間を確保する必要がある点では、特許文献１と同様である。
【０００７】
特許文献３に記載された間仕切りの懸架装置では、移動枠を垂直方向に維持しながら案内枠体に沿って円滑に移動させ得る直動案内装置が開示されている。しかし、ランナーと案内枠体との間でのがたつきの発生を防止するためには、ランナー及び案内枠体の精度を十分に確保する必要がある。また、プリーツスクリーンを折り畳むために、案内枠体と窓面との間に所要の空間を確保する必要がある点では、特許文献１と同様である。
【０００８】
この発明の目的は、パネルをハンガーレールに対し回動可能としながら、ハンガーレールを窓面に近接して配設可能とするパネルカーテンを提供することにある。
【課題を解決するための手段】
【０００９】
請求項１では、平板状のパネルをハンガーレールに沿って移動可能に支持したパネルカーテンにおいて、前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、前記パネルをカーテン生地で構成し、前記蝶番の下方において、前記カーテン生地の下端部には上下方向にスリットを設けた。
【００１０】
請求項２では、平板状のパネルをハンガーレールに沿って移動可能に支持したパネルカーテンにおいて、前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、前記ハンガーレールに前記パネルを複数枚並行して移動可能に吊下支持し、前記回動側吊下げ枠には、前記非回動側吊下げ枠及び回動側吊下げ枠を直線状とした状態で先頭パネルを引き出したとき後続のパネルを追随して引き出し可能とする係止装置を備え、前記係止装置は、前記回動側吊下げ枠の端部に設けたカウンタと、隣接するパネルの非回動側吊下げ枠の端部に設けられて前記カウンタに係合するエンドフックとで構成し、前記カウンタは前記エンドフックが前記回動側吊下げ枠の先端側から当接したとき、該エンドフックに係合しないように上方へ回動可能とした。
請求項３では、記非回動側吊下げ枠を、垂直荷重を支持する第一のランナーと、前記回動側吊下げ枠回動時の水平分力に基づく前記非回動側吊下げ枠の傾きを規制する第二のランナーで前記ハンガーレールに移動可能に支持した。
【００１１】
請求項４では、前記蝶番には、前記回動側吊下げ枠の水平分力を支持する摺動面を備えた。
請求項５では、前記回動側吊下げ枠の端部には、該回動側吊下げ枠を回動操作するための棒体を吊下支持した。
【００１２】
請求項６では、前記非回動側吊下げ枠の一側面に前記パネルを吊下支持し、前記非回動側吊下げ枠の側方に前記第二のランナーのベースを延設し、前記非回動側吊下げ枠には前記ベースを支点として該非回動側吊下げ枠の傾きを補正可能とした補正部材を設けた。
【００１５】
請求項７では、前記蝶番には、前記回動側吊下げ枠の回動位置を所定角度毎に保持する係止手段を備えた。
【００１６】
請求項８では、平板状のパネルをハンガーレールに沿って移動可能に支持したパネルカーテンにおいて、前記パネルをハンガーレールから吊下支持する吊下げ枠を回動側吊下げ枠と非回動側吊下げ枠に分割し、前記回動側吊下げ枠を前記非回動側吊下げ枠に蝶番を支点として回動可能に片持ち支持し、前記非回動側吊下げ枠を、垂直荷重を支持する第一のランナーと、前記回動側吊下げ枠回動時の水平分力に基づく前記非回動側吊下げ枠の傾きを規制する第二のランナーで前記ハンガーレールに移動可能に支持し、前記非回動側吊下げ枠の両端部を一対の前記第一のランナー及び前記第二のランナーで支持し、前記第二のランナーは前記ハンガーレールの内側面に当接して水平方向に回転する一対の車輪を備え、一方の第二のランナーの車輪で前記非回動側吊下げ枠の前方向への傾きを規制し、他方の第二のランナーの車輪で前記非回動側吊下げ枠の後方向への傾きを規制した。
【発明の効果】
【００１７】
本発明によれば、パネルをハンガーレールに対し回動可能としながら、ハンガーレールを窓面に近接して配設可能とするパネルカーテンを提供することができる。
【発明を実施するための最良の形態】
【００１８】
以下、この発明を具体化した一実施の形態を図面に従って説明する。図１に示すパネルカーテンは、３枚のパネル１ａ〜１ｃがハンガーレール２にそれぞれ移動可能に支持されている。ハンガーレール２は押出し形材で形成され、図２に示すように、３条のレール部３ａ〜３ｃが一体に形成され、各レール部３ａ〜３ｃに前記パネル１ａ〜１ｃがそれぞれ移動可能に支持されている。
【００１９】
前記各パネル１ａ〜１ｃは、二分割された吊下げ枠４ａ，４ｂから一枚のカーテン生地５がそれぞれ吊下支持される。すなわち、吊下げ枠４ａ，４ｂの側面に面ファスナー６が取着され、その面ファスナー６にカーテン生地５の上縁が接着されている。
【００２０】
前記各吊下げ枠４ａ，４ｂは中間部に設けられる蝶番７を支点として回動可能に連結されている。そして、一方の吊下げ枠（非回動側吊下げ枠）４ａが４個のランナーを介してハンガーレール２に移動可能に支持され、他方の吊下げ枠（回動側吊下げ枠）４ｂが蝶番７を介して片持ち支持されている。
【００２１】
前記ランナーは、２個の第一のランナー８ａ，８ｂと、同じく２個の第二のランナー９ａ，９ｂとからなる。第一のランナー８ａ，８ｂは、吊下げ枠４ａの両端部近傍に配設され、図４に示すように、ランナー本体１０に一対の車輪１１ａ，１１ｂが回転可能に支持されている。そして、車輪１１ａ，１１ｂが前記レール部３ａ〜３ｃの底辺上を転動するようになっている。
【００２２】
前記ランナー本体１０の下部には前記吊下げ枠４ａの上部に形成された溝部１２に係合する吊下部１３が設けられ、その吊下部１３が吊下げ枠４ａの側方から溝部１２内に挿入されて、吊下げ枠４ａがランナー本体１０に吊下支持されている。従って、第一のランナー８ａ，８ｂは吊下げ枠４ａ，４ｂをハンガーレール２に沿って移動可能に支持する。
【００２３】
第二のランナー９ａ，９ｂは、前記第一のランナー８ａ，８ｂの近傍にそれぞれ配設される。そして、図５に示すように、クランク状に屈曲されたベース１４に対し一対の車輪１５ａ，１５ｂが水平方向に回転可能に支持され、その車輪１５ａ，１５ｂがレール部３ａ〜３ｃの内側面に当接しながら転動するようになっている。
【００２４】
また、第二のランナー９ａの車輪１５ａは、レール部３ａ〜３ｃの室内側の内側面に当接し、車輪１５ｂはレール部３ａ〜３ｃの窓側の内側面に当接している。第二のランナー９ｂの車輪１５ａは、レール部３ａ〜３ｃの窓側の内側面に当接し、車輪１５ｂはレール部３ａ〜３ｃの室内側の内側面に当接している。従って、第二のランナー９ａ，９ｂにより吊下げ枠４ａの前後方向の傾きが規制されている。
【００２５】
前記ベース１４には前記吊下げ枠４ａの溝部１２内に突出する突部１６が形成されている。前記吊下げ枠４ａの下部に形成された溝部１７には前記吊下げ枠４ａの傾きを補正する補正部材１８が取着されている。すなわち、補正部材１８には前記溝部１７に係合する吊下部１９が形成され、その吊下部１９が吊下げ枠４ａの側方から溝部１７内に挿入されて、補正部材１８が吊下げ枠４ａに吊下支持されている。
【００２６】
前記補正部材１８にはネジ孔２０が設けられ、そのネジ孔２０にネジ２１が螺入される。そして、ネジ２１の先端部は前記第二のランナー９ａ，９ｂのベース１４の下端部に設けられた案内凹部２２内に挿入されている。従って、ネジ２１の先端を案内凹部２２の底面に当接させた状態で、ネジ２１のネジ孔２０への螺入量を調節することにより、吊下げ枠４ａが突部１６を支点として垂直方向に吊下支持されるように調節可能となっている。
【００２７】
図６及び図７に示すように、前記蝶番７は先端部が吊下げ枠４ａに嵌合される第一の回動部材２３ａと、先端部が吊下げ枠４ｂに嵌合される第二の回動部材２３ｂとが支軸２４で回動可能に連結されている。
【００２８】
第一の回動部材２３ａの基端部には二股部２５が形成され、第二の回動部材２３ｂの基端部にはシャフトホルダー２６が嵌合されている。シャフトホルダー２６は、板状に形成されるとともに、その中央部に第二の回動部材２３ｂの基端部に設けられた透孔２７に嵌合可能とした筒部２８が形成されている。
【００２９】
その筒部２８を透孔２７に嵌合してシャフトホルダー２６が第二の回動部材２３ｂの基端部に取着された状態で、同基端部が第一の回動部材２３ａの二股部２５間に挿入され、その二股部２５及び前記シャフトホルダー２６の筒部２８を貫通する支軸２４で第一及び第二の回動部材２３ａ，２３ｂが相対回動可能に連結されている。
【００３０】
また、蝶番７は第一の回動部材２３ａの二股部２５と、その二股部２５間に挿入される第二の回動部材２３ｂの基端部及びシャフトホルダー２６との間の摺動面５０で吊下げ枠４ｂ及び吊下げ枠４ｂから吊下支持されるカーテン生地５の重量を支持可能となっている。
【００３１】
前記シャフトホルダー２６には、図８に示すように、前記筒部２８を中心として４５度間隔に係止孔（係止手段）２９ａ〜２９ｅが形成されている。また、前記第一の回動部材２３ａの二股部２５の一方には保持孔３０が形成され、その保持孔３０内にボール３１及びコイルスプリング３２が挿入され、第一の回動部材２３ａの上面に固定されるカバー３３でコイルスプリング３２が保持孔３０内に保持される。保持孔３０の中心と支軸２４の中心との距離は、前記各係止孔２９ａ〜２９ｄの中心と支軸２４の中心との距離と同一である。
【００３２】
従って、カバー３３を支点とするコイルスプリング３２の付勢力により、ボール３１が下方へ付勢され、前記係止孔２９ａ〜２９ｄのいずれかに係合可能となっている。
また、図７に示すように、ボール３１が係止孔２９ａに係合している状態では、吊下げ枠４ａ，４ｂが直線状に保持される。そして、吊下げ枠４ｂを矢印Ｂ方向すなわち室内側に回動させれば、第二の回動部材２３ｂとともにシャフトホルダー２６が回動するため、吊下げ枠４ｂが４５度回転される毎にボール３１が係止孔２９ｂ〜２９ｄに順次係合するようになっている。
【００３３】
ボール３１が各係止孔２９ａ〜２９ｄ間を移動するときは、コイルスプリング３２の付勢力に抗してボール３１が上方へ押し上げられ、係止孔２９ａ〜２９ｄのいずれかがボール３１の位置に達すると、コイルスプリング３２の付勢力によりボール３１が下方へ移動して係止孔２９ａ〜２９ｄのいずれかに係合する。従って、ボール３１が係止孔２９ａ〜２９ｄのいずれかに係合した状態では、吊下げ枠４ｂがその回動位置で安定して保持される。
【００３４】
図１及び図２に示すように、前記パネル１ａの吊下げ枠４ｂの一端すなわち先頭側端部には、操作棒（棒体）３４ａが吊下支持されている。そして、操作棒３４ａの操作によりパネル１ａをハンガーレール２に沿って移動操作可能であり、蝶番７を回動支点として吊下げ枠４ｂを回動操作可能である。
【００３５】
前記パネル１ｂ，１ｃの吊下げ枠４ｂの一端すなわち先頭側端部には、金属の芯棒（棒体）３５が吊下支持されている。図９に示すように、吊下げ枠４ｂの端部には掛止め部材３６が嵌着され、その掛止め部材３６には掛止め孔３７が上下方向に貫通されている。そして、逆Ｕ字状に屈曲された芯棒３５の上端部が掛止め孔３７に上方から嵌挿されている。
【００３６】
従って、芯棒３５の下端部を操作することにより、蝶番７を回動支点として吊下げ枠４ｂを回動操作可能である。
前記パネル１ｃの吊下げ枠４ａの端部には操作棒３４ｂが吊下支持されている。そして、操作棒３４ｂの操作によりパネル１ｃをハンガーレール２に沿って移動操作可能である。
【００３７】
前記パネル１ｂ，１ｃの吊下げ枠４ｂの先頭側端部近傍には、パネル１ａの引き出し操作に追随してパネル１ｂ，１ｃを引き出し可能とする係止装置３８が取着されている。この係止装置３８は、図１０〜図１２に示すように、ベース３９と平板状のカウンタ４０とから構成される。
【００３８】
ベース３９はその上端部が前記吊下げ枠４ｂの溝部１７に嵌合され、かつネジ４１で吊下げ枠４ｂに固定されている。ベース３９にはカウンタ４０の一端すなわち吊下げ枠４ｂの先端側に設けられた嵌合軸４２が嵌合され、カウンタ４０は嵌合軸４２を回動支点としてベース３９に回動可能に支持されている。
【００３９】
カウンタ４０の他端側には軸４２を中心とした円弧状のガイド溝４３が形成され、そのガイド溝４３にベース３９から突出されるガイド軸４４が挿通されている。従って、カウンタ４０はガイド軸４４がガイド溝４３内を相対移動する範囲内でベース３９に対し回動可能であり、常にはその自重によりガイド軸４４がガイド溝４３の上端部に位置する状態で吊下支持されている。
【００４０】
また、ガイド軸４４がガイド溝４３の上端部に位置する状態で吊下支持されているとき、前記カウンタ４０の下辺はパネル１ｂ，１ｃの先端側に向かって上昇する斜辺４５となるように構成され、カウンタ４０の後辺は垂直辺４６となるように構成されている。
【００４１】
図１及び図３に示すように、前記パネル１ａ，１ｂの吊下げ枠４ａの端部すなわちパネル１ａ，１ｂの後端部にはエンドフック４７ａ，４７ｂが取着されている。そのエンドフック４７ａ，４７ｂは、先端部が室内側へ水平方向に屈曲されている。そして、各パネル１ａ〜１ｃの吊下げ枠４ａ，４ｂがハンガーレール２に沿って直線状に吊下支持されているとき、パネル１ａのエンドフック４７ａの移動軌跡上にパネル１ｂのカウンタ４０が位置し、パネル１ｂのエンドフック４７ｂの移動軌跡上にパネル１ｃのカウンタ４０が位置している。
【００４２】
従って、パネル１ａが引き出されてそのエンドフック４７ａがパネル１ｂの先端部まで移動すると、そのエンドフック４７ａがパネル１ｂのカウンタ４０の垂直辺４６に当接してパネル１ｂを同方向に移動させるようになっている。
【００４３】
また、パネル１ｂが引き出されてそのエンドフック４７ｂがパネル１ｃの先端部まで移動すると、そのエンドフック４７ｂがパネル１ｃのカウンタ４０の垂直辺４６に当接してパネル１ｃを同方向に移動させるようになっている。
【００４４】
一方、エンドフック４７ａがパネル１ｂのカウンタ４０より同パネル１ｂの先端側に位置する状態から、パネル１ａを畳み込むときには、エンドフック４７ａはパネル１ｂのカウンタ４０の斜辺４５に当接して同カウンタ４０を上方へ押し上げながら移動する。そして、エンドフック４７ａが係止装置３８を通り過ぎれば、カウンタ４０は自重により下方へ回動して原位置に復帰するようになっている。パネル１ｂのエンドフック４７ｂとパネル１ｃのカウンタ４０についても同様に動作する。
【００４５】
前記各パネル１ａ〜１ｃのカーテン生地５の幅方向中央部の下縁部には、スリット４８が形成され、そのスリット４８の両側において、カーテン生地５の下縁部に袋状部が形成され、その袋状部内にボトムバー４９が収容されている。そして、ボトムバー４９の重量によりカーテン生地５が垂直方向に緊張され、吊下げ枠４ｂが蝶番７を支点として回動されるとき、カーテン生地５の下縁部がスリット４８により容易に回動可能となっている。
【００４６】
次に、上記のように構成されたパネルカーテンの動作を説明する。図１３（ａ）は、パネル１ａ〜１ｃの吊下げ枠４ａ，４ｂを直線状に保持して畳み込んだ状態を示し、図１及び図３に示す状態に相当する。この状態から操作棒３４ａを操作してパネル１ａをハンガーレール２に沿って引き出すと、やがてパネル１ａのエンドフック４７ａがパネル１ｂのカウンタ４０に当接して、パネル１ａと共にパネル１ｂが移動する。
【００４７】
次いで、パネル１ｂのエンドフック４７ｂがパネル１ｃのカウンタ４０に当接してパネル１ｂと共にパネル１ｃが移動する。このような動作により、図１３（ｂ）に示すように、パネル１ａ〜１ｃがハンガーレール２に沿って引き出される。
【００４８】
この状態から、パネル１ａの操作棒３４ａ及びパネル１ｂ，１ｃの芯棒３５を操作して、各パネル１ａ〜１ｃの吊下げ枠４ｂを４５度ずつ室内側に回転させると、図１３（ｃ）に示すように、各パネル１ａ〜１ｃのカーテン生地５の半分が室内側に４５度回動された状態となる。この状態では窓外からの直射光を遮りながら、外光の採り入れが可能となる。
【００４９】
この状態から、各パネル１ａ〜１ｃの吊下げ枠４ｂをさらに回動させて、図１３（ｄ）に示すように各吊下げ枠４ｂを９０度回動させると、採光量をさらに増大させることができる。
【００５０】
また、同図（ｅ）に示すように、各パネル１ａ〜１ｃの吊下げ枠４ｂの回動角を適宜に選択することも可能である。
同図（ｆ）は、各パネル１ａ〜１ｃの吊下げ枠４ｂを１３５度回動させた状態を示す。同図（ｇ）は中央のパネル１ｂの吊下げ枠４ｂのみを９０度回動させた状態を示す。この状態では、パネル１ｂ，１ａ間に開口部が形成される。従って、このパネルカーテンを間仕切りとして使用した場合に、この開口部を出入り口として利用可能である。
【００５１】
同図（ｈ）は、各パネル１ａ〜１ｃの吊下げ枠４ｂを１３５度回動させた状態で、ハンガーレール２の中間部で各パネル１ａ〜１ｃを重ね合わせた状態を示す。この状態では、各パネル１ａ〜１ｃの両側に大きな開口部を得ることが可能となる。
【００５２】
同図（ｉ）は、各パネル１ａ〜１ｃの吊下げ枠４ｂを１３５度回動させた状態で、ハンガーレール２の右側で各パネル１ａ〜１ｃを重ね合わせた状態を示す。この状態では、各パネル１ａ〜１ｃの左側に大きな開口部を得ることが可能となる。
【００５３】
同図（ｊ）は、各パネル１ａ〜１ｃの吊下げ枠４ｂを１３５度回動させた状態で、パネル１ｂ，１ｃをハンガーレール２の左側で重ね合わせ、パネル１ａをハンガーレール２の右側に位置させた状態を示す。この状態では、パネル１ｂ，１ｃと同１ａとの間に大きな開口部を得ることが可能となる。
【００５４】
同図（ｋ）は、各パネル１ａ〜１ｃの吊下げ枠４ｂを９０度回動させた状態で、ハンガーレール２の左側で各パネル１ａ〜１ｃを重ね合わせた状態を示す。この状態では、各パネル１ａ〜１ｃの右側に大きな開口部を得ることが可能となる。
【００５５】
同図（ｌ）は、各パネル１ａ〜１ｃの吊下げ枠４ａ，４ｂを直線状に保持した状態で、パネル１ａ，１ｃをハンガーレール２の左側に位置させ、パネル１ｂをハンガーレール２の右側に位置させた状態を示す。この状態では、パネル１ａ，１ｃとパネル１ｂとの間に開口部を得ることが可能となる。
【００５６】
前記各パネル１ａ〜１ｃは、吊下げ枠４ａが第一及び第二のランナー８ａ，８ｂ，９ａ，９ｂでハンガーレール２に対し移動可能に支持され、吊下げ枠４ｂは蝶番７を介して吊下げ枠４ａに回動可能に片持ち支持されている。
【００５７】
すると、吊下げ枠４ｂが室内側に回動されたとき、吊下げ枠４ａは吊下げ枠４ｂを片持ち支持する状態となり、水平分力すなわち捩り方向の力が作用する。しかし、吊下げ枠４ａは、垂直荷重を支持する第一のランナー８ａ，８ｂと、水平分力を支持する第二のランナー９ａ，９ｂで支持されているので、吊下げ枠４ｂの回動に関わらず、吊下げ枠４ａの傾きが規制される。
【００５８】
また、蝶番７は第一及び第二の回動部材２３ａ，２３ｂが摺動面５０で摺動しながら回動するので、水平分力を安定して支持可能である。
吊下げ枠４ｂを室内側に回動させた状態で、パネル１ａ〜１ｃをハンガーレール２に沿って移動させるとき、図１に鎖線で示すように、パネル１ｂのエンドフック４７ｂはパネル１ｃのカウンタ４０より同パネル１ｃの先頭側に移動することがある。
【００５９】
このような状態から、パネル１ｂを畳み込み方向すなわち同図において左方へ移動させると、エンドフック４７ｂはカウンタ４０の斜辺４５に当接して同カウンタ４０を上方へ押し上げながら移動する。そして、エンドフック４７ｂがカウンタ４０の吊下位置を通過すると、カウンタ４０はその自重により図１に示す原位置に復帰する。パネル１ａのエンドフック４７ａとパネル１ｂのカウンタ４０も同様に動作する。
【００６０】
上記のようなパネルカーテンでは、次に示す作用効果を得ることができる。
（１）操作棒３４ａを操作してパネル１ａを引き出すことにより、平板状のパネル１ａ〜１ｃをハンガーレール２に沿って順次引き出し、あるいはハンガーレール２に沿って畳み込むことができる。
（２）各パネル１ａ〜１ｃの吊下げ枠４ｂを蝶番７を介して回動することができる。従って、このパネルカーテンを窓の内側に設置すると、吊下げ枠４ｂを適宜室内側へ回動させることにより、縦型ブラインドに類似する機能を得ることができる。
（３）蝶番７を回動支点として、吊下げ枠４ｂを室内側へ回動する構成であるので、各パネル１ａ〜１ｃを窓面に近接して設置することができる。
（４）このパネルカーテンを間仕切りとして使用した場合には、吊下げ枠４ｂを回動させて、パネルカーテンの一部を開口させることにより、出入り口として利用することができる。
（５）パネル１ａ〜１ｃの各吊下げ枠４ｂの端部に設けた操作棒３４ａ及び芯棒３５を操作することにより、各吊下げ枠４ｂを確実に回動させることができる。
（６）各パネル１ａ〜１ｃの吊下げ枠４ａは、垂直荷重を支持する第一のランナー８ａ，８ｂと、水平分力を支持する第二のランナー９ａ，９ｂを備えているので、吊下げ枠４ｂを安定して回動操作することができるとともに、吊下げ枠４ａ，４ｂの移動操作時のがたつきを防止することができる。
（７）蝶番７は、摺動面５０で面接触しながら回動する構成であるので、吊下げ枠４ｂの水平分力を安定して支持することができる。
（８）各パネル１ａ〜１ｃは、蝶番７の下方でカーテン生地５の下端部にスリット４８が形成され、そのスリット４８の両側にボトムバー４９が収容されている。従って、吊下げ枠４ｂとともにカーテン生地５を容易に回動させることができる。
（９）パネル１ａ〜１ｂを畳み込んだ状態から、パネル１ａをハンガーレール２に沿って引き出すと、カウンタ４０に係合するエンドフック４７ａ，４７ｂにより、パネル１ｂ，１ｃを順次追随させて引き出すことができる。また、エンドフック４７ａ，４７ｂがパネル１ｂ，１ｃのカウンタ４０を通り過ぎた位置から各パネル１ａ，１ｂを畳み込むとき、カウンタ４０をエンドフック４７ａ，４７ｂに係合しないように上方へ回動させることができる。従って、パネル１ａの引き出し操作により、エンドフック４７ａ，４７ｂがパネル１ｂ，１ｃのカウンタ４０に係合可能となるように容易にリセットすることができる。
（１０）第一のランナー８ａ，８ｂから吊下支持される吊下げ枠４ａは、補正部材１８のネジ２１の螺入量を調節することにより、吊下げ枠４ａの傾きを調整することができる。従って、吊下げ枠４ａの中心からオフセットされてカーテン生地５が吊下支持されていても、ネジ２１の螺入量を調整することにより、吊下げ枠４ａを垂直方向に吊下支持することができる。
（１１）シャフトホルダー２６に設けた係止孔２９ａ〜２９ｄとその係止孔２９ａ〜２９ｄに係合するボール３１により、吊下げ枠４ｂの回動位置を４５度間隔で保持することができる。
（１２）第二のランナー９ａ，９ｂにより吊下げ枠４ａの室内側あるいは窓側への傾きを規制することができる。
【００６１】
上記実施の形態は、以下の態様で実施してもよい。
・ハンガーレールに沿って支持される非回動側吊下げ枠の両端部に、それぞれ蝶番を介して回動側吊下げ枠を片持ち支持する構成としてもよい。
【図面の簡単な説明】
【００６２】
【図１】パネルカーテンを示す正面図である。
【図２】パネルカーテンを示す側面図である。
【図３】パネルカーテンの各パネルを示す平面図である。
【図４】第一のランナーを示す側面図である。
【図５】第二のランナーを示す側面図である。
【図６】図７におけるＡ−Ａ線断面図である。
【図７】蝶番を示す平面図である。
【図８】シャフトホルダーを示す平面図である。
【図９】芯棒の取付部を示す斜視図である。
【図１０】係止装置を示す正面図である。
【図１１】係止装置を示す側面図である。
【図１２】係止装置を示す断面図である。
【図１３】（ａ）〜（ｌ）はパネルカーテンの動作を示す説明図である。
【符号の説明】
【００６３】
１ａ〜１ｃ…パネル、２…ハンガーレール、４ａ…非回動側吊下げ枠、４ｂ…回動側吊下げ枠、７…蝶番、８ａ，８ｂ…第一のランナー、９ａ，９ｂ…第二のランナー、１８…補正部材、２９ａ〜２９ｄ…係止孔、３４ａ，３４ｂ…棒体（操作棒）、３５…芯棒、３８…係止装置、４８…スリット、５０…ボトムバー。
【図１】
0004749115.tif 000002
【図２】
0004749115.tif 000003
【図３】
0004749115.tif 000004
【図４】
0004749115.tif 000005
【図５】
0004749115.tif 000006
【図６】
0004749115.tif 000007
【図７】
0004749115.tif 000008
【図８】
0004749115.tif 000009
【図９】
0004749115.tif 000010
【図１０】
0004749115.tif 000011
【図１１】
0004749115.tif 000012
【図１２】
0004749115.tif 000013
【図１３】
0004749115.tif 000014